(57)【要約】  ハイブリッドＨＴＯ用に最適化された骨プレートおよび骨プレートシステムを提供する。本発明の骨プレートは、脛骨Ｘの骨切面よりも低位の脛骨Ｘの斜め前方内側面に、脛骨の長手方向に沿って固定される本体部１ａと、本体部１ａよりも幅広に形成され、骨切面よりも高位の前記脛骨Ｘの外周面に沿って固定される幅広部１ｂと、本体部１ａと幅広部１ｂとを連結する連結部１ｃと、これら本体部１ａ，幅広部１ｂ，および連結部１ｃに設けられた複数のネジ孔４，４ａ，４ｂ，４ｃと、を備え、幅広部１ｂから連結部１ｃまでの脛骨Ｘに面する内面が、脛骨Ｘの長手方向に沿う軸線回りにねじれるように連続する曲面形状を有し、幅広部１ｂが、本体部１ａに対して板厚方向外方に向けてオフセットされ、脛骨Ｘに取り付けたときに脛骨Ｘの背面に沿う連結部１ｃの側面の曲率が、脛骨Ｘの正面に沿う連結部１ｃの側面の曲率よりも大きくなるよう構成されている。
2017208318.tif 000002
【特許請求の範囲】
【請求項１】
脛骨の外側面に形成された骨切面よりも低位の前記脛骨の外側面に、該脛骨の長手方向に沿って固定される帯板状の本体部と、
該本体部よりも幅広に形成され、前記骨切面よりも高位の前記脛骨の脛骨頭の外周面に沿って固定される幅広部と、
前記本体部と前記幅広部とを連結する連結部と、
前記幅広部、前記本体部および前記連結部に相互に間隔をあけて配列され、板厚方向に貫通する複数のネジ孔と、を備え、
前記幅広部から前記連結部までの前記脛骨に面する内面が、前記脛骨の長手方向に沿う軸線回りにねじれるように連続して前記脛骨の三次元輪郭に従って略整合する曲面形状を有し、
前記幅広部が、前記本体部に対して板厚方向外方に向けてオフセットされ、
前記脛骨に取り付けたときに前記脛骨の背面に沿う前記連結部の側面の曲率が、前記脛骨の正面に沿う前記連結部の側面の曲率よりも大きくなるよう構成されている骨プレート。
【請求項２】
前記複数のネジ孔が、
前記幅広部に間隔をあけて設けられた複数の第１のネジ孔と、
前記連結部に間隔をあけて設けられた複数の第２のネジ孔と、を有し、
前記複数の第１のネジ孔のうち、前記脛骨に取り付けたときに前記脛骨の背面側となる位置に設けられた一の第１のネジ孔の軸線である第１の軸線と、前記複数の第２のネジ孔のうち、前記脛骨に取り付けたときに前記脛骨の正面側となる位置に設けられた一の第２のネジ孔の軸線である第２の軸線とが、略同一平面に沿って配置されている請求項１に記載の骨プレート。
【請求項３】
前記骨プレートにおける長手方向上端部と下端部とを結ぶ直線と、前記複数の第１のネジ孔の配列方向を規定する直線と前記第１のネジ孔の軸線方向とを含む第１の平面とがなす角度が、８０°以上９０°以下である請求項１に記載の骨プレート。
【請求項４】
前記オフセットのオフセット量が１５ｍｍ以上２５ｍｍ以下である請求項１に記載の骨プレート。
【請求項５】
長手方向の全長が１００ｍｍ以上１２０mm以下、望ましくは９５ｍｍ以上１０５mm以下である請求項１に記載の骨プレート。
【請求項６】
請求項１から請求項５のいずれかに記載の骨プレートと、
該骨プレートの前記複数のネジ孔のそれぞれに締結され、前記骨プレートを前記脛骨に固定する複数のスクリュと、を備える骨プレートシステム。
【請求項７】
前記骨プレートの板厚が３±１mmであり、
前記複数のスクリュにより前記骨プレートを締結した状態において、前記骨プレートの長手軸方向に鉛直荷重が加えられたときの前記骨プレートの撓み量が、０．５ｍｍ±０．３ｍｍ/ｋｇｆとなるよう構成されている請求項６に記載の骨プレートシステム。
【請求項８】
前記骨プレートおよび前記スクリュが、生体適合性の高い材料を含む請求項７に記載の骨プレートシステム。
【請求項９】
前記スクリュが、ガイドピンを貫通可能な貫通孔を有する中空スクリュであり、
前記スクリュの山径の太さがφ５．０ｍｍ以上５．８mm以下、谷径の太さがφ４．５ｍｍ以上５．３mm以下であり、
前記中空スクリュの中空軸径がφ１．８ｍｍ以上２．８mm以下である、請求項７に記載の骨プレートシステム。
【発明の詳細な説明】
【技術分野】
【０００１】
本発明は、骨プレートおよび骨プレートシステムに関するものである。
【背景技術】
【０００２】
従来、骨折や骨切り部を固定し、骨治癒、骨接合を促すために、骨プレートとこの骨プレートを骨に固定するためのスクリュと有する骨プレートシステムが用いられている（例えば、特許文献１参照。）。【０００３】
このような骨プレートシステムは、例えば、変形膝関節症の高位脛骨骨切り術（ＨＴＯ：Ｈｉｇｈ  Ｔｉｂｉａｌ  Ｏｓｔｅｏｔｏｍｙ）に用いられる。高位脛骨骨切り術とは、O脚変形のために内側に偏る荷重の方向を、自分の骨を切り、少し角度を変えることにより矯正してアライメントを整え、外側に移動させる手術である。
高位脛骨骨切り術にはいくつかの種類があり、脛骨の内側から外側に向かって骨を切り、切込みを開大して台形または楔型の人工骨等を挿入することで角度を矯正するオープンウエッジ（Ｏｐｅｎ  Ｗｅｄｇｅ  ＨＴＯ）法、脛骨の外側から骨を楔型に切り取り、短縮させて角度を矯正するクローズドウエッジ法（Ｃｌｏｓｅｄ  Ｗｅｄｇｅ  ＨＴＯ）等が知られている。【０００４】
また、近年では、高度内側型変形性関節症で矯正角度が大きい場合や、膝蓋・大腿関節にも変形性関節症が見られる等の場合には、オープンウエッジ法とクローズドウエッジ法の両方の長所を取り入れたハイブリッドＨＴＯ（Ｈｙｂｒｉｄ  ＨＴＯ）法という手技が行われるようになってきた。【０００５】
特許文献１には、オープンウエッジ法に用いられる骨プレートシステムが開示されている。
また、特許文献２には、大腿骨や脛骨等の長骨が骨折した際に、骨折した各部分を修復固定するのに用いられる骨プレートシステムが開示されている。特許文献２の骨プレートシステムでは、骨プレートをスクリュにより骨端部に固定する際に、スクリュの軸線方向を回転して変更できるようになっている。
【先行技術文献】
【特許文献】
【０００６】
【特許文献１】国際公開番号２０１５／１４６８６６号公報
【特許文献２】特許第４３６８５６０号公報
【発明の概要】
【発明が解決しようとする課題】
【０００７】
上述したように、ハイブリッドＨＴＯ法は、オープンウエッジ法とクローズドウエッジ法の両方の長所を取り入れた新しい手法であり、変形膝関節症がより進行した患者に対して手技を行うことができるものの、この手技は難易度が高く、また、ハイブリッドＨＴＯ専用の骨プレートが存在しない。このため、本来、スクリュの固定方向が選択可能な複雑な骨プレート（例えば、特許文献２）を、ハイブリッドＨＴＯ用の骨プレートとして用いている。【０００８】
特許文献２に記載の骨プレートでは、矯正後の脛骨形状に合わせて骨プレートを脛骨に固定するために、スクリュの固定方向を適宜選択可能としている。しかしながら、スクリュの固定方向に可変性を持たせるために、骨プレートの固定強度が低くなってしまい、１年〜2年に渡る長期間の矯正期間中の脛骨固定に耐えられず、矯正位置が損失されてしまう、または骨プレートやスクリュが破断してしまう恐れがある。【０００９】
本発明は、上述した事情に鑑みてなされたものであって、ハイブリッドＨＴＯを行った矯正後の脛骨形状への適合性を考慮し、最適化された構造を有する骨プレートおよび骨プレートシステムを提供することを目的としている。
【課題を解決するための手段】
【００１０】
本発明の一態様は、脛骨の外側面に形成された骨切面よりも低位の前記脛骨の外側面に、該脛骨の長手方向に沿って固定される帯板状の本体部と、該本体部よりも幅広に形成され、前記骨切面よりも高位の前記脛骨の脛骨頭の外周面に沿って固定される幅広部と、前記本体部と前記幅広部とを連結する連結部と、前記幅広部、前記本体部および前記連結部に相互に間隔をあけて配列され、板厚方向に貫通する複数のネジ孔と、を備え、前記幅広部から前記連結部までの前記脛骨に面する内面が、前記脛骨の長手方向に沿う軸線回りにねじれるように連続して前記脛骨の三次元輪郭に従って略整合する曲面形状を有し、前記幅広部が、前記本体部に対して板厚方向外方に向けてオフセットされ、前記脛骨に取り付けたときに前記脛骨の背面に沿う前記連結部の側面の曲率が、前記脛骨の正面に沿う前記連結部の側面の曲率よりも大きくなるよう構成されている骨プレートである。【００１１】
上記態様によれば、骨プレートの脛骨に面する内面が、ハイブリッドＨＴＯ術後の脛骨の三次元輪郭に従って略整合する曲面形状を有しているので、術後の脛骨の側面形状に沿うように骨プレートを配置することができる。
ハイブリッドＨＴＯ用に設計された骨プレートであるので、術前に骨折固定用に形成された骨プレートの曲げ加工や滅菌処理等をする必要が無く、簡便に術前準備を行うことができる。
また、脛骨に取り付けたときに脛骨の背面に沿う連結部の側面の曲率を、脛骨の正面に沿う連結部の側面の曲率よりも大きくしたことで、スクリュの方向に直交する方向に近づけることができ、噛み合うねじ山数を増やしてより確実な固定を図ることができる。また、連結部のネジ孔に挿入されるスクリュの先端を、脛骨の骨密度が高い脛骨後方の骨に、確実に到達させることができる。これにより、骨切面からの支持を得られない部分も強固に固定することが出来る。【００１２】
上記態様においては、前記複数のネジ孔が、前記幅広部に間隔をあけて設けられた複数の第１のネジ孔と、前記連結部に間隔をあけて設けられた複数の第２のネジ孔と、を有し、前記複数の第１のネジ孔のうち、前記脛骨に取り付けたときに前記脛骨の背面側となる位置に設けられた一の第１のネジ孔の軸線である第１の軸線と、前記複数の第２のネジ孔のうち、前記脛骨に取り付けたときに前記脛骨の正面側となる位置に設けられた一の第２のネジ孔の軸線である第２の軸線とが、略同一平面に沿って配置されていることとしてもよい。【００１３】
このようにすることで、骨プレートの複数のネジ孔にスクリュを挿入して脛骨に締結固定した時に、スクリュの先端を脛骨の骨密度が高い脛骨後方の骨に、正確に到達させることができる。このため、骨プレートの脛骨への固定性を高めることができる。また、鉛直方向の荷重を受けた場合であっても、脛骨の骨切面において回転力を受けにくく、安定した固定性を得ることができる。【００１４】
上記態様においては、前記骨プレートにおける長手方向上端部と下端部とを結ぶ直線と、前記複数の第１のネジ孔の配列方向を規定する直線と前記第１のネジ孔の軸線方向とを含む第１の平面とがなす角度が、８０°以上９０°以下としてもよい。
このようにすることで、患者の体格の違いに起因する脛骨の長さの違いや、矯正量の違いにかかわらず、骨プレートを矯正後の脛骨の外側面にぴったりと沿わせて配置することができる。
また、関節面を突き破ることがなく、かつ、人工骨や骨欠損部と干渉することがない最適な範囲にスクリュを挿入することができる。【００１５】
また、上記態様においては、前記オフセットのオフセット量が１５ｍｍ以上２５ｍｍ以下であることとしてもよい。
このようにすることで、矯正後の脛骨の外側面に骨プレートをぴったりと沿わせて配置することができる。
また、連結部に挿入されたスクリュの先端と、幅広部に挿入されたスクリュの先端が干渉することを防ぎながら、骨プレートの脛骨に対するフィット性を高めることができる。【００１６】
上記態様においては、長手方向の全長が１００ｍｍ以上１２０mm以下、望ましくは９５ｍｍ以上１０５mm以下であることとしてもよい。
このようにすることで、患者の体格の違いに起因する脛骨の長さの違いや、矯正量の違いにかかわらず、ハイブリッドＨＴＯを施術した後の脛骨の外側面に骨プレートを適切にフィットさせて配置することができる。また、骨プレートがこのような寸法範囲に設定されているため、スクリュを適切な方向・位置に締結することができる。【００１７】
本発明の他の態様は、記いずれかの骨プレートと、該骨プレートの前記複数のネジ孔のそれぞれに締結され、前記骨プレートを前記脛骨に固定する複数のスクリュと、を備える骨プレートシステムである。【００１８】
上記態様によれば、骨プレートの脛骨に面する内面が、ハイブリッドＨＴＯ術後の脛骨の三次元輪郭に従って略整合する曲面形状を有するため、術後の脛骨の側面形状に沿うように骨プレートを配置することができる。また、骨プレートの複数のネジ孔に挿入される複数のスクリュの先端が、脛骨関節面よりも下に来るように締結されるので、脛骨関節面を突き破ることを防ぎながら、骨密度の高い部分にスクリュを締結することができる。
また、骨プレートが脛骨頭に対して外側に張り出すことが無いデザインとされているので、骨プレートの張り出しによる皮膚への刺激に起因する痛みの発生を防ぐことができる。【００１９】
上記態様においては、前記骨プレートの板厚が３±１mmであり、前記複数のスクリュにより前記骨プレートを締結した状態において、前記骨プレートの長手軸方向に鉛直荷重が加えられたときの前記骨プレートの撓み量が、０．５ｍｍ±０．３ｍｍ/ｋｇｆとなるよう構成することとしてもよい。
このように骨プレートの撓み量を調整したことで、骨プレート装着中の脛骨に対するストレスシールディング（骨に荷重が加わりにくくなる現象）を抑制することができる。【００２０】
上記態様においては、前記骨プレートおよび前記スクリュが、生体適合性の高い材料を含むこととしてもよい。
このようにすることで、十分な強度及び弾性を備えた生体適合性の高い材質のインプラントとすることができる。【００２１】
上記態様においては、前記スクリュが、ガイドピンを貫通可能な貫通孔を有する中空スクリュであり、前記スクリュの山径の太さがφ５．０ｍｍ以上５．８mm以下、谷径の太さがφ４．５ｍｍ以上５．３mm以下であり、前記中空スクリュの中空軸径がφ１．８ｍｍ以上２．８mm以下であることとしてもよい。
上記態様によれば、年単位にわたる長期間の間、骨プレートがスクリュにより脛骨にネジ止め固定された場合であっても、鉛直方向の荷重を十分に吸収してスクリュが折れることがない太さに設計されている。このような範囲に設定することで、例えば骨端部においては、中空穴の先端部に骨が入り込むことにより、固定性を向上させることができる。
また、骨プレート抜去後の脛骨海綿骨内に生じるスクリューホールによる悪影響を最小限に留めることができる。
骨プレートの幅広部から連結部にかけての内面は、ねじれるように連続した曲面形状とされているので、スクリュの締結方向も一様では無く、スクリュの固定方向を誤りやすいが、上記態様においては、スクリュは、ガイドピンを貫通可能な貫通孔を有するので、スクリュに設けた貫通孔を利用して、ガイドピンをガイドとしてスクリュを締結していくことができる。このため、締結作業の作業性を向上することができる。
【発明の効果】
【００２２】
本発明によれば、ハイブリッドＨＴＯを行った矯正後の脛骨形状への適合性および固定性を向上させた、ハイブリッドＨＴＯ専用の骨プレートおよび骨プレートシステムを提供することができる。
【図面の簡単な説明】
【００２３】
【図１】本発明の一実施形態に係る骨プレートシステムを示す全体図である。
【図２Ａ】図１の骨プレートを示す平面図である。
【図２Ｂ】図１の骨プレートにスクリュを挿入した場合における平面図である。
【図３Ａ】図１の骨プレートを示す側面図である。
【図３Ｂ】図１の骨プレートを示す側面図である。
【図４】図２Ａの骨プレートを示す正面図である。
【図５】幅広部に挿入されたスクリュの軸線方向と、骨プレートにおける長手方向上端部と下端部とを結ぶ直線とがなす角度を示す側面図である。
【図６Ａ】図１の骨プレートシステムに用いられるスクリュにガイドピンを挿入した場合を示す図である。
【図６Ｂ】図６Ａのスクリュ頭部の拡大図である。
【発明を実施するための形態】
【００２４】
本発明の一実施形態に係る骨プレート１および骨プレートシステム２について、図面を参照して以下に説明する。
本実施形態に係る骨プレートシステム２は、図１に示されるように、骨プレート１と、該骨プレート１を脛骨Ｘの高位外側面に固定するための複数のスクリュ３とを備えている。
【００２５】
本実施形態に係る骨プレート１は、高度内側型変形性関節症で矯正角度が大きい場合や、膝蓋・大腿関節にも変形性関節症が見られる等の場合に行われる、オープンウエッジ法とクローズドウエッジ法の両方の長所を取り入れた、いわゆるハイブリッドＨＴＯに用いられるものであり、骨切り後の脛骨Ｘの高位外側面に固定される細長い帯板状の部材である。
【００２６】
ハイブリッドＨＴＯで用いられる骨プレート１は、図２Ａおよび図２Ｂに示されるように、細長い帯板状の本体部１ａと、該本体部１ａよりも幅広に形成された幅広部１ｂと、本体部１ａと幅広部１ｂとを連結する連結部１ｃとを備えている。また、骨プレート１は、図２Ａに示されるように、幅広部１ｂ、本体部１ａおよび連結部１ｃに相互に間隔をあけて配列され、板厚方向に貫通する複数のネジ孔４を備えている。この複数のネジ孔４は、本体部１ａに設けられた複数のネジ孔４ａと、幅広部１ｂに設けられた複数の第１のネジ孔４ｂと、連結部１ｃに設けられた複数の第２のネジ孔４ｃとをそれぞれ有している。なお、図２Ａにおいては、本体部１ａに４つのネジ孔４ａを設け、幅広部１ｂに２つのネジ孔４ｂを設け、連結部１ｃに２つのネジ孔４ｃを設けた例が示されているが、ネジ孔の数はこれに限られずこれよりも増減しても構わない。
【００２７】
本体部１ａは、脛骨Ｘの低位外側面に沿うよう、帯板状に形成されている。また、幅広部１ｂから連結部１ｃにかけての脛骨Ｘに面する内面は、図４に示されるように、脛骨Ｘの長手方向に沿う軸線回りにねじれるように連続した曲面形状とされている。本実施形態においては、骨プレートのねじれ角度は、脛骨Ｘに取り付けられたときにその三次元輪郭に従って略整合するように、例えば１３±５°であり、ねじれが最大となる部位はネジ穴４ｃ付近であると、ねじの固定強度とプレートの形状適合性を両立することができる。
【００２８】
また、図３Ａに示されるように、幅広部１ｂは、本体部１ａに対して板厚方向外方にオフセットされている。このオフセット量は、本実施形態においては、１５ｍｍ以上２５ｍｍ以下である。
【００２９】
本実施形態に係る骨プレート１は、図３Ａおよび図３Ｂに示されるように、両側面から見たときの連結部１ｃの側面の曲率が異なるよう形成されている。具体的には、骨プレート１を脛骨Ｘに取り付けたときに、脛骨Ｘの背面に沿う側（図３Ｂ）の連結部１ｃの側面の曲率が、骨プレート１を脛骨Ｘに取り付けたときに脛骨Ｘの正面に沿う側（図３Ａ）の連結部１ｃの側面の曲率よりも大きくなるよう形成されている。本実施例においては、例えば、脛骨Ｘの背面に沿う側の曲率半径は１２．５±7.5ｍｍ、正面に沿う側の曲率半径は９０±３０ｍｍとされている。
【００３０】
ネジ孔４には、図２Ｂに示されるように、一側から他側に向かって板厚方向にスクリュ３が挿入されるようになっている。
図２Ｂに示されるように、本体部１ａに設けられたネジ孔４ａには、スクリュ３ａが挿入され、連結部１ｃに設けられたネジ孔４ｃには、スクリュ３ｃが挿入される。また、幅広部１ｂのネジ孔４ｂには、スクリュ３ｂが挿入される。
また、図２Ｂに示されるように、幅広部１ｂに設けたネジ孔４ｂのうち、側面の曲率が大きく形成されている側のネジ孔４ｂ（図２Ａにおいて左側）に締結されたスクリュ３ｂの軸線Ａと、連結部１ｃに設けたネジ孔４ｃのうち、側面の曲率が大きく形成されている側のネジ孔４ｃ（図２Ａにおいて右側）に締結されたスクリュ３ｃの軸線Ｂとが、略同一平面αに沿って配置されるようにそれぞれのネジ孔のネジ切り角度が設定されている。
【００３１】
このように構成された本実施形態に係る骨プレート１および骨プレートシステム２の作用について、以下に説明する。
本実施形態に係る骨プレートシステム２を用いてハイブリッドＨＴＯ法により変形膝関節症の高位脛骨骨切り術を行うには、脛骨Ｘの高位外側面から内側に向かって、脛骨Ｘの長手軸に対して傾斜する方向に切り込みを形成して第１の骨切面を形成し、さらに、この骨切り面よりも長手軸方向に離間した脛骨Ｘの外側面から内側に向かって切込みを形成して第2の骨切面を形成し、第１の骨切面と第２の骨切面の間の楔形の骨片を、所定の器具を用いて除去する。そして、第1の骨切面と第２の骨切面をあわせて閉鎖することで脛骨の軸線方向を外反させた後、脛骨Ｘの骨幹部から端部に向かって移行する位置の外側面に骨プレート１を沿わせて固定する。具体的には、図１に示されるように、脛骨Ｘの外側面における、第1の骨切面と第２の骨切面をあわせて閉鎖した閉鎖面Ｐの長手方向下方に骨プレート１の本体部１ａがあてがわれ、閉鎖面の長手方向上方に幅広部１ｂおよび連結部１ｃがあてがわれる。
【００３２】
その後、骨プレート1に設けられた複数のネジ孔４には、外側から内側に向かって板厚方向にスクリュ３を貫通させて脛骨Ｘに締結していく。これにより、骨切矯正後の脛骨Ｘは、切り込みを跨いでスクリュ３により固定された骨プレート１によって、鉛直荷重を支持することができる。
【００３３】
幅広部１ｂのネジ孔４ｂに挿入されるスクリュ３ｂは、脛骨関節面に対して略平行となる平面上に配置されるよう締結される。このため、スクリュ３ｂの先端が脛骨関節面方向に向かないように骨プレートを固定することができる。また、スクリュ３ｂの先端を脛骨Ｘの厚みのある骨密度の高い方向に向けることができるので、骨粗鬆症等により骨質が良好ではなく、固定条件が悪い場合であっても、海綿骨を健全な状態に維持しながら固定性を向上させることができる。
【００３４】
本実施形態に係る骨プレート１は、脛骨Ｘに取り付けたときに、脛骨Ｘの背面に沿う側（図３Ｂ）の連結部１ｃの側面の曲率が、骨プレート１を脛骨Ｘに取り付けたときに脛骨Ｘの正面に沿う側（図３Ａ）の連結部１ｃの側面の曲率よりも大きくなるよう形成されているので、ハイブリッドＨＴＯ術後の脛骨Ｘの三次元輪郭に従って骨プレート１を略整合するよう配置することができる。
【００３５】
また、幅広部１ｂに設けたネジ孔４ｂのうち、側面の曲率が大きく形成されている側のネジ孔４ｂに締結されたスクリュ３ｂの軸線Ａと、連結部１ｃに設けたネジ孔４ｃのうち、側面の曲率が大きく形成されている側のネジ孔４ｃに締結されたスクリュ３ｃの軸線Ｂとが、略同一平面に沿って配置されるようにそれぞれのネジ孔のネジ切り角度が設定されているので、スクリュ３の方向に直交する方向に近づけることができ、噛み合うねじ山数を増やしてより確実な固定を図ることができる。また、スクリュ３により骨プレート１を脛骨に締結固定した際に、スクリュ３の先端を脛骨Ｘの骨密度が高い脛骨Ｘ後方に正確に到達させることができるので、骨プレート１の脛骨Ｘへの固定性を高めることができる。
【００３６】
本実施形態に係る骨プレート１は、図３Ａに示されるように、本体部１ａに対しする幅広部１ｂのオフセット量を１５ｍｍ以上２５ｍｍ以下とすることで、矯正後の脛骨Ｘの外側面に骨プレート１をぴったりと沿わせて配置することができる。
また、連結部１ｃのネジ孔４ｃに挿入されたスクリュ３ｃの先端と、幅広部１ｂのネジ孔４ｂに挿入されたスクリュ３ｂの先端が干渉することを防ぎながら、骨プレート１の脛骨Ｘに対するフィット性を高めることができる。
【００３７】
本実施形態においては、図５に示すように、骨プレート１における長手方向上端部と下端部とを結ぶ直線と、ネジ孔４ｂの配列方向を規定する直線とネジ孔４ｂの軸線方向とを含む平面とがなす角度が、８０°以上９０°以下とすることで、連結部１ｃのネジ孔４ｃに挿入されたスクリュ３ｃの先端が、ちょうど幅広部１ｂのネジ孔４ｂに挿入されたスクリュ３ｂの先端の下側に来るようにすることができ、連結部１ｃのネジ孔４ｃに挿入されたスクリュ３ｃの先端が幅広部１ｂのネジ孔４ｂに挿入されたスクリュ３ｂの先端に干渉することを防ぐことができる。また、連結部１ｃのネジ孔４ｃに挿入されたスクリュ３ｃの先端が、骨密度の高い硬い部分に到達するように締結することができるので、骨プレート１の固定性を高めることができる。
【００３８】
また、骨プレート１の長手方向の全長を１００ｍｍ以上１２０mm以下、望ましくは９５ｍｍ以上１０５mm以下とすることで、患者の体格の違いに起因する脛骨Ｘの長さの違いや矯正量の違いにかかわらず、骨プレート１を脛骨Ｘの外側面にぴったりと沿わせて配置することができる。
【００３９】
骨プレート１の板厚を、概ね３±１mmとし、複数のスクリュ３により骨プレート１を脛骨Ｘに締結した状態において、骨プレート１の長手軸方向（脛骨Ｘの骨軸方向）に鉛直荷重Ｗ（図１において示される矢印方向）が加えられたときの骨プレート１の撓み量が、０．５ｍｍ±０．３ｍｍ/ｋｇｆの範囲内に収まるよう設計することで、骨プレート１を装着した矯正中の脛骨Ｘに対するストレスシールディング（骨に荷重が加わりにくくなる現象）を抑制することができる。
【００４０】
骨プレート１およびスクリュ３は、生体適合性の高い金属材料から形成される。このような材料は、人体に配置した場合であっても、人体に対する安全性は比較的高い。
骨プレート１およびスクリュ３に使用される生体適合材料としては、長期間にわたる十分な強度や弾性を確保できるチタン系合金が最適である。もちろん、生体適合材料としてはチタン合金に限るものではなく、これ以外にも、コバルトクロム合金、ステンレス等、その他の材料を用いることもできる。
【００４１】
本実施形態のスクリュ３は、図６Ａおよび図６Ｂに示されるように、ガイドピン５を貫通可能な貫通孔６を有する中空のスクリュ３であり、スクリュ３の山径の太さｄ１をφ５．０ｍｍ以上５．８mm以下、谷径の太さｄ２をφ４．５ｍｍ以上５．３mm以下、スクリュ３の中空軸径ｄ３をφ１．８ｍｍ以上２．８mm以下としてもよい。
【００４２】
本実施形態のスクリュ３は、長期間の間、脛骨Ｘに締結固定された場合であっても、鉛直方向の荷重を十分に吸収して折れることがない太さに設計されている。また、このような範囲に設定することで、例えば骨端部においては、中空穴の先端部に骨が入り込むことにより、固定性を向上させることができる。
また、スクリュ３の太さが太くなりすぎることが無いので、骨プレート１抜去後の脛骨Ｘの海綿骨内に生じるスクリューホールによる悪影響を最低限に留めることができる。
【００４３】
また、本実施形態に係るスクリュ３は、ガイドピン５を貫通可能な貫通孔６を有するので、スクリュ３に設けた貫通孔６を利用して、ガイドピン５をガイドとしてスクリュ３を締結していくことができ、締結作業の作業性を向上することができる。
【符号の説明】
【００４４】
１    骨プレート
１ａ  本体部
１ｂ  幅広部
１ｃ  連結部
２    骨プレートシステム
３，３ａ，３ｂ，３ｃ    スクリュ
４，４ａ，４ｂ，４ｃ    ネジ孔
５    ガイドピン
６  貫通孔
Ｘ    脛骨
第１の軸線  Ａ
第２の軸線  Ｂ
【図１】
2017208318.tif 000003
【図２Ａ】
2017208318.tif 000004
【図２Ｂ】
2017208318.tif 000005
【図３Ａ】
2017208318.tif 000006
【図３Ｂ】
2017208318.tif 000007
【図４】
2017208318.tif 000008
【図５】
2017208318.tif 000009
【図６Ａ】
2017208318.tif 000010
【図６Ｂ】
2017208318.tif 000011
【国際調査報告】
2017208318.tif 000012
2017208318.tif 000013